(57)【要約】【課題】固まる粒状物を収容して使用するタイプのトイレの使用者が、システムトイレの良さを気軽に試すことができる。【解決手段】本発明の一実施形態であるペット用排泄物処理具１Ａは、吸収体２１及び吸収体２１の上面の液透過性シート材２２を含む吸収部材２と、吸収部材２より大きな面積を有する液不透過性シート材３と、吸収部材２及び液不透過性シート材３を収容する紙製の箱４とを備える。液不透過性シート材３の内に吸収部材２が設置され、使用前においては、吸収部材２を包むように液不透過性シート材３における吸収部材２から延出する部分が吸収部材２の上面で折り畳まれている。使用前においては、液不透過性シート材３で包まれた吸収部材２が、使用時に箱４の上面に形成される縁４１ｅのある窓４１の直下に収容されている。【選択図】図１
2015029494.tif 000002
【特許請求の範囲】
【請求項１】
ペットの尿を吸収する吸収体及び該吸収体の上面を覆う液透過性シート材を含む吸収部材と、該吸収部材より大きな面積を有する液不透過性シート材と、該吸収部材及び該液不透過性シート材を収容する紙製の箱とを備える使い捨てペット用排泄物処理具であって、
前記液不透過性シート材の内に前記吸収部材が設置され、使用前においては、該吸収部材を包むように該液不透過性シート材における該吸収部材から延出する部分が該吸収部材の上面で折り畳まれており、
使用前においては、前記液不透過性シート材で包まれた前記吸収部材が、使用時に前記箱の上面に形成される縁のある窓の直下に収容されている使い捨てペット用排泄物処理具。
【請求項２】
前記液不透過性シート材で包まれた前記吸収部材は、その平面視した際の面積が、前記箱に形成される前記窓の面積よりも大きい請求項１に記載の使い捨てペット用排泄物処理具。
【請求項３】
前記箱の上面に、前記縁のある窓を形成する切り取り線が施されており、使用時に切り取り線に沿って開口させることにより縁のある窓が形成される請求項１又は２に記載の使い捨てペット用排泄物処理具。
【請求項４】
前記吸収体は、植物由来の素材の粉砕物を７０重量％以上含んで、厚みが３ｍｍ以上の板状に成形されており、ペットの尿の吸水後に保形性を有する請求項１〜３の何れか１項に記載の使い捨てペット用排泄物処理具。
【請求項５】
前記液透過性シート材は、開孔率１０％以上７０％未満で無加圧状態での厚みが０．１ｍｍ以上のフィルム若しくはプラスチック成形シート、又は坪量２０ｇ／ｍ2以上５０ｇ／ｍ2以下で無加圧状態での厚みが０．３ｍｍ以上の不織布である請求項１〜４の何れか１項に記載の使い捨てペット用排泄物処理具。
【請求項６】
前記液不透過性シート材は、前記吸収部材から延出する部分に、係止手段が設けられている請求項１〜５の何れか１項に記載の使い捨てペット用排泄物処理具。
【請求項７】
前記箱は、縦ａ、横ｂ、高さｃの関係がａ≧ｂ＞ｃである立方体の形状を有し、該箱の上面に、前記縁のある窓を形成する切り取り線が施されており、
前記窓の面積は、前記箱の上面の面積（ａ×ｂ）の５０％以上９０％以下であり、前記箱に収容された前記液不透過性シート材で包まれた前記吸収部材が該箱の内部において一方に偏っていても、前記一方とは反対側に位置する前記窓の縁に前記吸収部材が掛かるように前記切り取り線が施されている請求項１〜６の何れか１項に記載の使い捨てペット用排泄物処理具。
【請求項８】
前記液不透過性シート材は、展開状態に広げた際に平らな形状になるように形成されている請求項１〜７の何れか１項に記載の使い捨てペット用排泄物処理具。
【請求項９】
前記液不透過性シート材は、袋状に形成されている請求項１〜７の何れか１項に記載の使い捨てペット用排泄物処理具。
【請求項１０】
請求項１〜９の何れか１項に記載の使い捨てペット用排泄物処理具と、該使い捨てペット用排泄物処理具上に配置する便床を形成する粒状物とを具備するペット用排泄物処理システムであって、
前記使い捨てペット用排泄物処理具が上方に開口する開口部を有する容器内に配置され、使用時に前記箱の上面に形成された前記窓の外周縁から、前記吸収部材の上面で折り畳まれた前記液不透過性シート材が解放されて外方に延出しており、該延出した液不透過性シート材により、前記容器の周壁内面が覆われており、前記吸収部材の上面に前記粒状物が敷設されているペット用排泄物処理システム。
【請求項１１】
前記粒状物は、植物由来の素材の粉砕物６０重量％以上９７重量％以下及び合成樹脂を３重量％以上４０重量％以下含んで、所定の形状に成形されており、ペットの尿の吸水後に保形性を有する請求項１０に記載のペット用排泄物処理システム。
【発明の詳細な説明】
【技術分野】
【０００１】
本発明は、猫や犬等の使い捨てペット用排泄物処理具に関する。
【背景技術】
【０００２】
一般的に、ペットである特に猫の排泄物を処理するためのトイレには、大きく区分して、２種類のトイレが存在する。一つ目のトイレは、専用の容器（トレー）本体に、尿を吸収してボール状に固まり、その都度小さなスコップ等で取り除く、いわゆる固まる猫砂と呼ばれる粒状物を収容して使用するタイプのトイレである。また、二つ目は、専用のトイレ容器本体を、液透過性の簀の子により上下層に区分して、上層部分に猫砂と呼ばれる便床を形成する粒状の排泄物処理材を収容し、下層部分に繊維や吸水性樹脂等を含む液保持性の吸収体を収容し、上層部分に収容した前記猫砂を通過した尿を吸収保持するタイプのトイレである。本出願人は、この後者の二つ目のトイレとして、特許文献１に記載のペット用排泄物処理システムを提案した。
【先行技術文献】
【特許文献】
【０００３】
【特許文献１】特許第３８０４７７２号公報
【発明の概要】
【発明が解決しようとする課題】
【０００４】
特許文献１に記載のペット用排泄物処理システムは、一つ目の固まる粒状物を収容して使用するタイプのトイレに比べ、排尿の度に猫砂を取り除く手間がいらず便利であり、下層部分のトレーに収容された吸収体の吸収量を大きく出来ることから長期間使用することが可能となっている。尚、一つ目の固まる粒状物を収容して使用するタイプのトイレ専用の容器本体は、特許文献１に記載のペット用排泄物処理システムの容器本体と異なる構造であり、ペット用排泄物処理システムの容器本体として使用することができない。
【０００５】
そのため、すでに一つ目の固まる粒状物を収容して使用するタイプのトイレを使用している人にとっては、ペット用排泄物処理システムを使うには、容器（トレー）本体を買い換える必要がある。その上、便利で使いやすいことは認識しているが、猫が新しいタイプのペット用排泄物処理システムに慣れるかどうかという心配もあり、ペット用排泄物処理システムに切り替えることを躊躇ってしまう場合もある。
【０００６】
また、貰い猫等で、新しく猫を飼い始める場合、或いは旅先に連れて行く場合等、当然、専用の容器（トレー）本体の準備も無く、専用の容器（トレー）本体の代わりに、空き箱や洗面器等の容器を代用して使用し、該容器に前記固まる猫砂を収容して急場を凌ぐこともある。
【０００７】
従って、本発明は、上記課題を解消し得る使い捨てペット用排泄物処理具を提供することに関する。
【課題を解決するための手段】
【０００８】
本発明は、ペットの尿を吸収する吸収体及び該吸収体の上面を覆う液透過性シート材を含む吸収部材と、該吸収部材より大きな面積を有する液不透過性シート材と、該吸収部材及び該液不透過性シート材を収容する紙製の箱とを備える使い捨てペット用排泄物処理具であって、前記液不透過性シート材の内に前記吸収部材が設置され、使用前においては、該吸収部材を包むように該液不透過性シート材における該吸収部材から延出する部分が該吸収部材の上面で折り畳まれており、使用前においては、前記液不透過性シート材で包まれた前記吸収部材が、使用時に前記箱の上面に形成される縁のある窓の直下に収容されている使い捨てペット用排泄物処理具を提供するものである。
【発明の効果】
【０００９】
本発明の使い捨てペット用排泄物処理具によれば、固まる粒状物を収容して使用するタイプのトイレの使用者が、システムトイレの良さを気軽に試すことができる。また、新規にペット（特に猫）を飼い始めた際に、手軽に使用することができる。更に、旅行等でペット（特に猫）を同伴する際に、コンパクトに持ち運びでき、出先で気軽に使用できる。
【図面の簡単な説明】
【００１０】
【図１】図１は、本発明の第１実施形態のペット用排泄物処理具をペット用排泄物処理システムとして使用する状態を示す斜視図である。
【図２】図２は、図１に示す第１実施形態のペット用排泄物処理具の斜視図である。
【図３】図３は、図２のＩ−Ｉ線断面図である。
【図４】図４（ア）〜図４（オ）は、吸収部材２を液不透過性シート材３で包む手順を説明するための図である。
【図５】図５は、図２に示すペット用排泄物処理具の備える箱の使用前の状態を示す斜視図である。
【図６】図６は、液不透過性シート材３で包んだ吸収部材２を箱に収納する手順を説明するための図である。
【図７】図７は、図２に示すペット用排泄物処理具の使用前の状態を示す斜視図である。
【図８】図８は、図７に示すペット用排泄物処理具を使用する際の状態を示す斜視図である。
【図９】図９（ア）〜図９（エ）は、本発明の第２実施形態のペット用排泄物処理具を形成する手順を説明するための図である。
【図１０】図１０（ａ）〜図１０（ｃ）は、本発明のペット用排泄物処理具に用いる吸収部材２を収納する袋状の液不透過性シート材３の他の実施形態の例を説明するための図である。
【発明を実施するための形態】
【００１１】
以下、本発明の使い捨てペット用排泄物処理具について、その好ましい第１実施形態に基づき、図１〜図８を参照しながら説明する。
第１実施形態の使い捨てペット用排泄物処理具１Ａ（以下、単に「ペット用排泄物処理具１Ａ」ともいう。）は、図１に示すように、上方に開口する開口部６１を有する容器６内に配されてペット用排泄物処理システム１００として使用されるものである。ペット用排泄物処理具１Ａは、図２，図３に示すように、ペットの尿を吸収する吸収体２１及び吸収体２１の上面２１Ｕを覆う液透過性シート材２２を含む吸収部材２と、吸収部材２より大きな面積を有する液不透過性シート材３と、吸収部材２及び液不透過性シート材３を収容する紙製の箱４とを備えている。
【００１２】
以下の説明においては、図１，図２に示すように、ペット用排泄物処理具１Ａの前後方向をＹ方向、前後方向に直交する方向である幅方向をＸ方向、前後方向（Ｙ方向）及び幅方向（Ｘ方向）からなる面方向に直交する方向である上下方向をＺ方向として説明する。尚、ペット用排泄物処理具１ＡのＹ方向、Ｘ方向及びＺ方向は、それぞれ、ペット用排泄物処理システム１００のＹ方向、Ｘ方向及びＺ方向と同じ方向である。また、図１，図２に示すように、Ｚ方向の内の容器６内に配されたペット用排泄物処理具１Ａ側を上方側として説明する。
【００１３】
吸収部材２を構成する吸収体２１は、ペットの尿を吸収するものである。吸収体２１の形状は、特に制限されるものではないが、第１実施形態のペット用排泄物処理具１Ａでは、図２に示すように、吸収体２１は、平面視してＹ方向に長い長方形状に形成されており、全体として板状に形成されている（図３参照）。吸収体２１は、ペットの尿の吸収後に保形性を有する、具体的には、ペットの尿を吸水しても崩壊しない程度の十分な保形性を有することが好ましい。このような保形性の観点から、吸収体２１は、植物由来の素材の粉砕物を７０重量％以上含んで形成されていることが好ましく、植物由来の素材の粉砕物を８０重量％以上含んで形成されていることが更に好ましい。
【００１４】
吸収体２１の吸収量は、例えば、使用期間の設定により変更すればよい。吸収量は、用いる植物性由来の素材の粉砕物の量と、吸収体２１の大きさの設定により行うことができる。前記粉砕物の密度は、０．２ｇ/ｃｍ3以上０．４ｇ/ｃｍ3以下の範囲であることが好ましく、ペットの尿の吸収速度とペットの尿の保持性を両立する範囲にすることが必要である。尚、吸収体２１の構成部材として、植物由来の素材の粉砕物に、吸水性樹脂等を混ぜ、吸収量を維持しながら厚みを薄くすることも可能であるが、吸水性樹脂を入れ過ぎると成形性と尿吸収後の保形性を維持することが難しくなる。従って、吸水性樹脂を混合する場合は、植物由来の素材の粉砕物に対して２０重量％以下の混合率であることが好ましい。ペット用排泄物処理具１Ａの吸収体２１は、箱４の中に収容されているので、取り扱い上、大きな破断強度を必要としないが、破断強度が低くなり過ぎると、吸収体２１が形態を崩すことにより、ペットの尿の吸収性やペットの尿の吸収後の保形性が阻害され、後述する猫砂の性能を悪化させ、排泄物処理材としての使用期間の短縮を招くおそれがあるため、留意が必要である。
【００１５】
上述したように、第１実施形態のペット用排泄物処理具１Ａでは、吸収体２１は、Ｙ方向に長い板状に形成されており、適切な吸収量の観点から、Ｙ方向の長さが２００ｍｍ以上５００ｍｍ以下程度に形成されていることが好ましく、Ｘ方向の長さが１５０ｍｍ以上４００ｍｍ以下程度に形成されていることが好ましい。また、同様の観点から、吸収体２１の厚み（Ｚ方向の長さ）が、３ｍｍ以上５０ｍｍ以下に形成されていることが好ましく、５ｍｍ以上３０ｍｍ以下に形成されていることが更に好ましく９ｍｍ以上２０ｍｍ以下に形成されていることが特に好ましい。
【００１６】
吸収部材２を構成する液透過性シート材２２は、液透過性を有している。液透過性シート材２２は、吸収体２１の上面２１Ｕを覆って配置されている。液透過性シート材２２は、吸収体２１の上面２１Ｕを覆っていれば、平面視して、吸収体２１の外周縁（輪郭）よりも外方に延出していてもよいが、第１実施形態のペット用排泄物処理具１Ａでは、図２，図３に示すように、吸収体２１の外周縁（輪郭）に一致して形成されている。即ち、第１実施形態のペット用排泄物処理具１Ａでは、液透過性シート材２２は、吸収体２１と同じ形状のＹ方向に長い長方形状に形成されている。
【００１７】
上述したように、液透過性シート材２２は、吸収体２１の上面２１Ｕを覆って配置されているので、排泄されたペットの尿は、液透過性シート材２２を通過して吸収体２１に吸収されるようになる。そのため素早くペットの尿を通過させることが必要となると共に吸収体２１からのペットの尿の液の戻りを防ぐことも合わせて必要となる。したがって、開孔率１０％以上７０％未満で無加圧状態での厚みが０．１ｍｍ以上のフィルム若しくはプラスチック成形シートであることが好ましく、開孔率３０％以上６５％未満で無加圧状態での厚みが０．５ｍｍ以上３．０ｍｍ以下のフィルム若しくはプラスチック成形シートであることが更に好ましい。或いは、坪量２０ｇ／ｍ2以上５０ｇ／ｍ2以下で無加圧状態での厚みが０．３ｍｍ以上の不織布であることが好ましく、坪量２５ｇ／ｍ2以上４０ｇ／ｍ2以下で無加圧状態での厚みが０．５ｍｍ以上５．０ｍｍ以下の不織布であることが更に好ましい。尚、フィルム若しくはプラスチック成形シートの開孔率は、従来と同様に、その平面状態を、電子顕微鏡や光学顕微鏡を用いて撮影することにより開孔率を計算する。また、無加圧状態での厚みについても、従来と同様に、その断面を電子顕微鏡や光学顕微鏡を用いて撮影することにより測定する。
【００１８】
液不透過性シート材３は、液透過性シート材２２を吸収体２１の上面２１Ｕ上に配置して形成された吸収部材２より大きな面積を有し、液不透過性を有する。ここで、吸収部材２より大きな面積を有するとは、液不透過性シート材３を平面視して、吸収部材２の外周縁（輪郭）よりも外方に延出していることを意味し、吸収部材２を構成する液透過性シート材２２が吸収部材２を構成する吸収体２１よりも大きい場合には、液透過性シート材２２の外周縁（輪郭）よりも外方に延出していることを意味する。尚、第１実施形態のペット用排泄物処理具１Ａでは、液不透過性シート材３は、展開状態に広げた際に平らな形状になるように形成されている（図４参照）。
【００１９】
液不透過性シート材３は、ペット用排泄物処理具１Ａの使用目的から、柔軟で液不透過性が確保できれば一般的な素材でよい。代表的な素材としては、ポリエチレンが挙げられる。ポリエチレンからなるシート材は、一般的であり、ペットの排泄行動中の動き等におけるガサツキなどを防止する観点から、ポリエチレンの中でも特に低密度ポリエチレンからなるシート材が好ましい。また、液不透過性シート材３の強度については、ペットの爪での引っかき等による破損の防止やペットの体重に耐えられるように設計される観点から、厚みが０．０２０ｍｍ以上０．１００ｍｍ以下の範囲であることが好ましく、０．０３０ｍｍ以上０．０７０ｍｍ以下の範囲であることが更に好ましい。更に、ポリエチレンからなるシート材は、一般的に透明であるが、必要に応じて着色することで半透明や不透明としてもよい。また、炭酸カルシウム等を混ぜることで艶消しや焼却時の燃焼カロリーを減らすなどの工夫ができる。
【００２０】
また、第１実施形態のペット用排泄物処理具１Ａでは、液不透過性シート材３は、図２，図３に示すように、吸収部材２から延出する部分に、２個以上の係止手段５が設けられている。具体的には、係止手段５は、第１実施形態のペット用排泄物処理具１Ａでは、液不透過性シート材３の吸収部材２から延出する部分におけるＺ方向の下面側で、且つＹ方向の両端部及びＸ方向の両端部（Ｙ方向に沿う両側部）それぞれに配置されて、合計４個設けられている。この係止手段５は、液不透過性シート材３における吸収部材２から延出する部分を、図１に示すように、後述する容器６に仮固定するためのものである。
【００２１】
係止手段５は、その面積が２００ｍｍ2以上４５０ｍｍ2以下程度のものであり、係止手段５としては、例えば、両面粘着テープ等が挙げられる。係止手段５は、必ずしも必要とされるものではないが、係止手段５を設けることで、ペット専用トイレを持っていなくても手持ちの容器を使用するときに液不透過性シート材３を該容器に固定することができるため便利である。
【００２２】
ペット用排泄物処理具１Ａにおいては、液不透過性シート材３の内に吸収部材２が設置され、使用前においては、吸収部材２を包むように液不透過性シート材３における該吸収部材２から延出する部分が該吸収部材２の上面で折り畳まれている。以下、具体的に、図４を参照しながら、Ｙ方向に長い板状の吸収部材２を、吸収部材２より大きな面積の平らな形状の液不透過性シート材３を用いて、包む一例を説明する。先ず、図４（ア）のように、吸収体２１の上面２１Ｕを液透過性シート材２２で覆って形成された吸収部材２を、平面視して吸収部材２より大きな面積を有する液不透過性シート材３の上面中央部に設置する。ここで、液不透過性シート材３と吸収部材２を構成する吸収体２１とは、特に固定する手段を必要としないが、工程上必要であれば適宜固定手段を設けてもよい。
【００２３】
次に、図４（ア）のように、液不透過性シート材３における吸収部材２から延出する部分の内、Ｙ方向に沿う一方の側部を、矢印で示された方向に吸収部材２を包むように巻き上げ、図４（イ）のように、吸収部材２のＹ方向に延びる一方の側縁に沿って折り返す。次に、図４（イ）のように、液不透過性シート材３における吸収部材２から延出する部分の内、Ｙ方向に沿う他方の側部を、矢印で示された方向に吸収部材２を包むように巻き上げ、図４（ウ）のように、吸収部材２のＹ方向に延びる他方の側縁に沿って折り返す。このように、液不透過性シート材３における吸収部材２から延出する部分の内、Ｙ方向に沿う両側部を、吸収部材２のＹ方向に延びる両側側縁に沿って折り返す。次に、図４（ウ）のように、液不透過性シート材３における吸収部材２から延出する部分の内、Ｙ方向の一方の端部を、矢印で示された方向に吸収部材２を包むように巻き上げ、図４（エ）のように、吸収部材２のＹ方向の一方の端縁に沿って折り返す。そして最後に、図４（エ）のように、液不透過性シート材３における吸収部材２から延出する部分の内、残りのＹ方向の他方の端部を、矢印で示された方向に吸収部材２を包むように巻き上げ、図４（オ）のように、吸収部材２のＹ方向の他方の端縁に沿って折り返す。このようにして、吸収部材２を包むように液不透過性シート材３における該吸収部材２から延出する部分が、該吸収部材２の上面で折り畳まれている。尚、図４に示す折り畳みの例は、あくまで一例であり、他の折り畳み方法でも構わない。重要なのは、巻き上げられる方向は必ず吸収部材２のＺ方向の上方側、即ち、ペット用排泄物処理システム１００として使用される際のＺ方向の上方側でなくてはならないことである。また、液不透過性シート材３の大きさにより、一重で巻き上げることが出来ない場合であっても、折り返しを何重にしても、常に吸収部材２のＺ方向の上方側でなくてはならない。
【００２４】
紙製の箱４は、吸収部材２及び液不透過性シート材３を収容するものであり、液不透過性シート材３によって包まれた吸収部材２を収容する大きさを有している。紙製の箱４は、ペット用排泄物処理具１Ａの使用中にペットが乗った際に潰れない程度の強度を有する厚紙或いは薄手のダンボールで形成されていることが好ましい。
【００２５】
第１実施形態のペット用排泄物処理具１Ａでは、箱４は、図５に示すように、縦ａ、横ｂ、高さｃの関係が、ａ≧ｂ＞ｃである立方体の形状を有している。このように、箱４は、平面視してＹ方向に長い長方形状に形成されており、全体として立方体状に形成されている。箱４は、上面を形成する平坦な天壁４３と、底面（下面）を形成する平坦な底壁４４と、該天壁４３の全周縁から該底壁４４の全周縁にＺ方向に立設し該箱４の側面を形成する周壁４５とを有する。ペット用排泄物処理具１Ａでは、箱４の周壁４５が、Ｙ方向の両端の前後周壁４５ｅ，４５ｅ、及びＹ方向に沿う両側（Ｘ方向の両端）の側方周壁４５ｓ，４５ｓからなる。
【００２６】
第１実施形態のペット用排泄物処理具１Ａでは、箱４は、図５に示すように、その上面（天壁４３）に縁４１ｅのある窓４１を形成する切り取り線としてのミシン目４２が施されている。ここで、縁４１ｅのある窓４１とは、上面を形成する天壁４３の全周縁（Ｙ方向の両端部の外周縁及びＹ方向に沿う両側部の外周縁）の内、少なくとも１つの外周縁よりも内側（中心側）に配されて形成されている窓４１を意味する。即ち、該１つの外周縁と窓４１の外周縁との間隔が縁４１ｅとなる。ここで、第１実施形態のペット用排泄物処理具１Ａでは、縁４１ｅのある窓４１は、図５に示すように、天壁４３の全周縁（Ｙ方向の両端部の外周縁及びＹ方向に沿う両側部の外周縁）よりも内側にミシン目４２が施されて形成されている。即ち、第１実施形態のペット用排泄物処理具１Ａでは、ミシン目４２が、天壁４３のＹ方向の両端部の外周縁よりも内側に該外周縁に沿って直線状に施され、天壁４３のＹ方向に沿う両側部（天壁４３のＸ方向の両端部）の外周縁よりも内側に該外周縁に沿って直線状に施されて、平面視してＹ方向に長い長方形状を形成している。このようにミシン目４２が施されることにより、第１実施形態のペット用排泄物処理具１Ａでは、使用時にミシン目４２に沿って開口させることにより、Ｙ方向の両端部及びＹ方向に沿う両側部（Ｘ方向の両端部）それぞれに縁４１ｅのある窓４１が形成される。尚、第１実施形態のペット用排泄物処理具１Ａでは、ミシン目４２が施されて窓４１を形成するようになっているが、ミシン目以外でも窓４１を形成するようになっていればよい。
【００２７】
また、箱４の底壁４４、前後周壁４５ｅ，４５ｅ及び側方周壁４５ｓ，４５ｓの少なくとも１つは、蓋を形成しており、液不透過性シート材３によって包まれた吸収部材２を箱４の内部に収容することができるようになっている。第１実施形態のペット用排泄物処理具１Ａでは、図６に示すように、箱４の底壁４４に形成された蓋を開けて、そこから液不透過性シート材３によって包まれた吸収部材２を箱４の内部に収容することができるようになっている。収容する際には、図６に示すように、吸収部材２の上面で折り畳まれた液不透過性シート材３の延出する部分が、箱４の上面（天壁４３）側に配置される。
【００２８】
使用前においては、図７に示すように、ペット用排泄物処理具１Ａは、液不透過性シート材３で包まれた吸収部材２が、使用時に箱４の上面（天壁４３）に形成される縁４１ｅのある窓４１の直下に収納されている。言い換えれば、ペット用排泄物処理具１Ａでは、箱４の上面（天壁４３）に形成されたＹ方向に長い長方形状を描くミシン目４２の直下に液不透過性シート材３で包まれた吸収部材２が収納されている。
【００２９】
第１実施形態のペット用排泄物処理具１Ａでは、図７，図８に示すように、液不透過性シート材３で包まれた吸収部材２は、その平面視した際の面積が、箱４に形成される窓４１の面積よりも大きく形成されている。具体的には、窓４１の面積は、箱４の上面（天壁４３）の面積（ａ×ｂ）の５０％以上９０％以下であることが好ましく、６０％以上８５％以下であることが好ましい。また、箱４に収容された液不透過性シート材３で包まれた吸収部材２が、該箱４の内部で偏っていても窓４１の縁４１ｅに掛かるようにミシン目４２が施されていることが好ましく、５ｍｍ以上掛かるようにミシン目４２が施されていることがより好ましく、１０ｍｍ以上掛かるようにミシン目４２が施されていることが更に好ましい。ここで、「掛かる」とは、ペット用排泄物処理具１Ａを上方から見た場合に縁４１ｅと吸収部材２とが「重なる」ことをいう。具体的には、箱４の内部において、Ｙ方向の一方の端部側に液不透過性シート材３で包まれた吸収部材２が移動した際には、Ｙ方向の他方の端部側の窓４１の縁４１ｅに液不透過性シート材３で包まれた吸収部材２におけるＹ方向の他方の端部が掛かっていることが好ましい。また、箱４の内部において、Ｙ方向に沿う一方の側部側に液不透過性シート材３で包まれた吸収部材２が移動した際には、Ｙ方向に沿う他方の側部側の窓４１の縁４１ｅに液不透過性シート材３で包まれた吸収部材２におけるＹ方向に沿う他方の側部が掛かっていることが好ましい。即ち、窓の面積は、液不透過性シート材３で包まれた吸収部材２のうちの剛性を発現する吸収体２１の平面視した際の面積の５０％以上８５％以下であることが好ましく、６０％以上８０％以下であることが好ましい。
【００３０】
上述した本発明の第１実施形態の使い捨てペット用排泄物処理具１Ａの使用方法及び使用した際の作用効果について説明する。
ペット用排泄物処理具１Ａは、図１に示すように、上方に開口する開口部６１を有する容器６内に配されてペット用排泄物処理システム１００に使用されるものである。ペット用排泄物処理システム１００は、使い捨てペット用排泄物処理具１Ａと、上方に開口する開口部６１を有する容器６と、使い捨てペット用排泄物処理具１Ａ上に配置する便床を形成する粒状物７とを具備する。
【００３１】
ペット用排泄物処理具１Ａは、図１に示すように、容器６内に配置され、使用時に箱４の上面（天壁４３）に形成された窓４１の外周縁から、吸収部材２の上面で折り畳まれた液不透過性シート材３が解放されて外方に延出しており、該延出した液不透過性シート材３により、容器６の周壁内面６２が覆われており、吸収部材２の上面に粒状物７が敷設されて、ペット用排泄物処理システム１００として使用される。具体的には、先ず、ペット用排泄物処理具１Ａを、容器６内に配置した後、或いは容器６内に配置する前に、箱４の上面（天壁４３）に施されたミシン目４２に沿って開口させて、縁４１ｅのある窓４１を形成する（図８参照）。次に、吸収部材２の上面で折り畳まれた液不透過性シート材３を解放する。そして、箱４の上面（天壁４３）に形成された窓４１から解放された液不透過性シート材３の部分を引き出して、窓４１の外周縁から液不透過性シート材３を外方に延出させる。次に、このように外方に延出させた液不透過性シート材３の部分で、ペット用排泄物処理具１Ａを設置した容器６の周壁内面６２を覆う。次に、周壁内面６２が液不透過性シート材３で覆われた開口部６１内にて、現れた吸収部材２を構成する液不透過性シート材３のＺ方向上面上に、粒状物７を敷設させて、ペット用排泄物処理システム１００として使用する。粒状物７により敷設する際には、ペット用排泄物処理具１Ａを、粒状物７で少し埋めるように設置した方がより安定して使用でき、粒状物７の量も少なくて経済的に使用できる。
【００３２】
ここで、開口部６１を有する容器６としては、ペット用排泄物処理具１Ａを収容可能な大きさを有していれば、手持ちの何れの容器を用いてもよい。このような手持ちの容器としては、ポリプロピレン、ポリエチレン、ポリエチレンテレフタレート、塩化ビニル、ＡＢＳ等の汎用の合成樹脂で一体成形されたものが好ましく、例えば、お風呂場で使用する洗面容器、台所で使用する洗皿用の容器、あるいは紙製の箱等が挙げられる。
【００３３】
敷設して便床を形成する粒状物７としては、ペットの尿の吸収後に保形性を有する、具体的には、ペットの尿を吸水しても崩壊しない程度の十分な保形性を有することが好ましい。このような保形性の観点から、植物由来の素材の粉砕物を６０重量％以上９７重量％以下含んで構成されていることが好ましく、該粉砕物を７０重量％以上９５重量％以下含んで構成されていることが更に好ましい。同様な観点から、合成樹脂を３重量％以上４０重量％以下含んで構成されていることが好ましく、合成樹脂を５重量％以上３０重量％以下含んで構成されていることが更に好ましい。尚、植物由来の素材の粉砕物及び合成樹脂以外に、粘土鉱物等の成分を含んで構成されていてもよい。粒状物７は、消臭性に優れる観点から、針葉樹を用いてペレット状に成形されたものが好ましい。
【００３４】
粒状物７の形態は、特に制限はないが、所定の形状に成形されており、具体的には、成形性等の観点から、高さが直径よりもやや大きな円柱状の形状を有していることが好ましい。円柱状の形状としては、直径が２ｍｍ〜７ｍｍ程度であることが好ましく、高さが３ｍｍ〜１５ｍｍ程度であることが好ましい。尚、粒状物７の形態は、円柱状の形状以外に、例えば、球状、立方体、直方体等であってもよい。
【００３５】
また、粒状物７は、排泄された尿が、素早く粒状物７間を通過し、粒状物７の下方に配された吸収部材２に吸収され易くする観点、及び排泄された尿が、粒状物７の表面に液滴として残存して悪臭が発生することを防止する観点から、低吸水性であることが好ましく、具体的には、吸水率が１％以上１０％以下であることが好ましく、３％以上８％以下であることが更に好ましい。尚、吸水率は、以下の測定方法により測定する。
【００３６】
＜吸水率の測定方法＞
予め４０℃の恒温槽に２時間保管して乾燥させた粒状物７を、底面に目開２．８ｍｍのネットを配した直径８０ｍｍ、高さ１００ｍｍの円筒内に７０±１ｇ入れ、該粒状物７を該円筒ごと２５±３℃の水中に３秒間浸漬し、水から引き上げる。その後、ティッシュペーパー等で容器に付着した水を拭き取った後、前記粒状物７を別の容器に移し替えて粒状物７の重量を測定する。測定された吸水後の該粒状物７の重量から、水に浸漬させる前に予め測定しておいた該粒状物７の重量を差し引き、該粒状物の吸水量を求め、次の式に従い、粒状物の吸水率（％）とする。
吸水率（％）＝[（浸漬後の粒状物重量−浸漬前の粒状物重量））/（浸漬前の粒状物重量）]×１００
【００３７】
以上のような粒状物７としては、例えば、市販されている花王株式会社製の商品名「ニャンとも清潔トイレ脱臭・抗菌チップ」を好ましく用いることができる。
【００３８】
第１実施形態の使い捨てペット用排泄物処理具１Ａは、図１に示すように、上述したように、手持ちの容器６内に配されてペット用排泄物処理システム１００として使用可能である。その為、固まる粒状物を収容して使用するタイプのトイレの使用者が、システムトイレの良さを気軽に試すことができる。また、新規にペット（特に猫）を飼い始めた際に、手軽に使用することができる。また、第１実施形態の使い捨てペット用排泄物処理具１Ａは、図７に示すように、使用前においては、液不透過性シート材３で包まれた吸収部材２が、使用時に箱４の上面（天壁４３）に形成される縁４１ｅのある窓４１の直下に収容されているので、旅行等でペット（特に猫）を同伴する際に、コンパクトに持ち運びでき、出先で気軽に使用できる。
【００３９】
また、ペット用排泄物処理具１Ａは、図８に示すように、液不透過性シート材３で包まれた吸収部材２は、その平面視した際の面積が、箱４に形成される窓４１の面積よりも大きい。その為、使用時に、箱４内に収納された吸収部材２が飛び出し難く、使用し易い。また、液不透過性シート材３で吸収部材２が包まれているので、吸収部材２が尿を吸っても箱４を濡らすこともなく、箱４の外に漏れることも防止できる。
【００４０】
また、ペット用排泄物処理具１Ａは、吸収部材２を構成する吸収体２１が、ペットの尿の吸収後に保形性を有しているので、ペットが複数回排尿した時でも、吸収体２１は形を保ち箱４から飛び出すことなく使用することができる。
【００４１】
また、ペット用排泄物処理具１Ａは、図２，図３に示すように、液不透過性シート材３における吸収部材２から延出する部分に、係止手段５が設けられている。その為、図１に示すように、この係止手段５を介して、液不透過性シート材３における吸収部材２から延出する部分を、容器６に仮固定することができ、使用し易い。
【００４２】
ペット用排泄物処理システム１００として使用されたペット用排泄物処理具１Ａの使用後の廃棄については、ペット用排泄物処理具１Ａを設置した容器６の周壁内面６２を覆った液不透過性シート材３の部分を容器６から外し、粒状物７を敷設したままの状態で、該液不透過性シート材３の部分を結んで閉じて、箱４ごと捨てる。このように、ペット用排泄物処理具１Ａは、箱４ごと捨てられるので簡単で衛生的である。特に、粒状物７が植物系の方のものを用いていれば、分別する必要が無いので更に便利である。
【００４３】
次に、本発明の第２実施形態のペット用排泄物処理具１Ｂについて説明する。第２実施形態のペット用排泄物処理具１Ｂは、吸収部材２を包む液不透過性シート材３の形状が第１実施形態のペット用排泄物処理具１Ａと異なる。第２実施形態のペット用排泄物処理具１Ｂについては、第１実施形態のペット用排泄物処理具１Ａと異なる点について主として説明し、同様の点については同一の符号を付して説明を省略する。特に言及しない点については、第１実施形態のペット用排泄物処理具１Ａに関する説明が適宜適用される。
【００４４】
第２実施形態のペット用排泄物処理具１Ｂは、図９に示すように、吸収部材２を包む液不透過性シート材３が袋状に形成されている。具体的には、液不透過性シート材３は、Ｚ方向上方に開口するロート状の袋状に形成されており、底から開口部に向かって開口面積が広がる形状をなしている。図９に示すロート状の袋状の液不透過性シート材３は、一対の三角形状のシート材片を用意し、一対の三角形状のシート材片の両側縁同士を融着によるシールを施すことにより形成できる。
【００４５】
ペット用排泄物処理具１Ｂにおいては、液不透過性シート材３の内に吸収部材２が設置され、使用前においては、吸収部材２を包むように液不透過性シート材３における該吸収部材２から延出する部分が該吸収部材２の上面で折り畳まれている。以下、具体的に、図９を参照しながら、Ｙ方向に長い板状の吸収部材２を、吸収部材２より大きな開口面積の袋状の液不透過性シート材３を用いて、包む一例を説明する。先ず、図９（ア）のように、吸収体２１の上面２１Ｕを液透過性シート材２２で覆って形成された吸収部材２を、平面視して吸収部材２より大きな開口面積を有する液不透過性シート材３の内部中央部分に設置する。
【００４６】
次に、図９（イ）のように、液不透過性シート材３における吸収部材２からＺ方向下方に延出する部分を、折り畳む。次に、図９（ウ）のように、液不透過性シート材３における吸収部材２からＺ方向上方に延出する部分を折り畳む。このようにして、吸収部材２を包むように液不透過性シート材３における該吸収部材２からＺ方向上方に延出する部分が、該吸収部材２の上面で折り畳まれている。
【００４７】
第２実施形態のペット用排泄物処理具１Ｂにおいては、図９（エ）に示すように、立方体の形状の紙製の箱４は、その上面（天壁４３）に縁４１ｅのある窓４１を形成するミシン目４２が施されている。またペット用排泄物処理具１Ｂの箱４では、箱４のＹ方向の前後周壁４５ｅ，４５ｅの内の一方が蓋を形成しており、その蓋を開けて、そこから液不透過性シート材３によって包まれた吸収部材２を、箱４の内部に収容することができるようになっている。収容する際には、図９（エ）に示すように、吸収部材２の上面で折り畳まれた液不透過性シート材３の延出する部分が、箱４の上面（天壁４３）側に配置される。
【００４８】
このように形成された第２実施形態のペット用排泄物処理具１Ｂは、使用前においては、図９（エ）に示すように、ペット用排泄物処理具１Ｂは、液不透過性シート材３で包まれた吸収部材２が、使用時に箱４の上面（天壁４３）に形成される縁４１ｅのある窓４１の直下に収納されている。
【００４９】
上述した第２実施形態のペット用排泄物処理具１Ｂを使用した際の作用効果について説明する。
ペット用排泄物処理具１Ｂの効果については、ペット用排泄物処理具１Ａの効果と異なる点について説明する。特に説明しない点は、ペット用排泄物処理具１Ａの効果と同様であり、ペット用排泄物処理具１Ａの効果の説明が適宜適用される。
ペット用排泄物処理具１Ｂは、吸収部材２を包む液不透過性シート材３が、底から開口部に向かって開口面積が広がる形状からなるロート状の袋状に形成されているので、専用の容器が無くとも、手持ちの容器の周囲長さに対応することができるとともに、ペット用排泄物処理具１Ａに比べて容器への係止性がよく、また、防漏性も優れている。
【００５０】
本発明のペット用排泄物処理具は、上述の第１〜第２実施形態のペット用排泄物処理具１Ａ〜１Ｂに何ら制限されるものではなく、適宜変更可能である。また、上述の第１〜第２実施形態のペット用排泄物処理具１Ａ〜１Ｂにおける各構成要件は、本発明の趣旨を損なわない範囲で、適宜組み合わせて実施できる。
【００５１】
例えば、上述の第２実施形態のペット用排泄物処理具１Ｂにおいては、図９に示すように、吸収部材２を包む液不透過性シート材３がロート状の袋状に形成されているが、平面視して底部が矩形状の袋状に形成されていてもよい。また、袋状の形成方法としては、例えば、図１０（ａ）に示すように、平面視して吸収部材２より大きな面積を有する液不透過性シート材３を２枚用意する。これら２枚の液不透過シート材の内、Ｚ方向上方側の液不透過シート材には一対角線に沿ってミシン目３１を施す。次いで、これら２枚の液不透過シート材を重ね合わせ全周縁に亘って融着によるシールを施す。そして、ミシン目３１に沿って切り離すことで袋状の液不透過性シート材３を形成してもよい。また、図１０（ｂ）に示すように、チューブ形状の液不透過シート材を用いて、Ｙ方向の前後端部の開口部に沿って融着によるシールを施し、Ｚ方向上方側の液不透過シート材にのみ一対角線に沿ってミシン目３１を施し、その後、ミシン目３１に沿って切り離すことで袋状の液不透過性シート材を形成してもよい。さらに、図１０（ｃ）に示すように、Ｘ方向に長い長方形状の１枚の液不透過性シート材をＹ方向に延びる二等分線に沿って折り返し、コの字状に外周縁に沿って融着によるシールを施し、Ｚ方向上方側の液不透過シート材にのみ一対角線に沿ってミシン目３１を施し、その後、ミシン目３１に沿って切り離すことで袋状の液不透過性シート材を形成してもよい。このように形成される袋状の液不透過性シート材３は、その袋の周囲長が、使用する容器６の範囲であればよい。具体的には、例えば使用する容器６として、市販されているペット用トイレ容器（トレー）を使用する場合、該トレーの周囲長は、ほぼ１２０ｃｍから１８０ｃｍ程度であり、これらに適用できる範囲に袋の周囲長を設定することが好ましい。
【００５２】
また、上述の第１実施形態及び第２実施形態のペット用排泄物処理具１Ａ，１Ｂにおいては、図８及び図９に示すように、液不透過性シート材３の内に、１個の吸収部材２が設置されて形成されているが、使用されるペット（特に猫）のサイズや容器６の大きさ、あるいは複数頭のペット（特に猫）にて使用する場合など、大きな吸収量を必要とする場合には、吸収部材２を複数個設置して形成されていてもよい。例えば、液不透過性シート材３の内に、２個の吸収部材２をＹ方向に並置して形成されていてもよい。
【００５３】
また、上述の第１実施形態及び第２実施形態のペット用排泄物処理具１Ａ，１Ｂにおいては、図８及び図９に示すように、吸収部材２を構成する吸収体２１及び液不透過性シート材２２、箱４の上面（天壁４３）並びに箱４の窓４１の形状が、平面視して、何れも矩形状に形成されているが、少なくとも１つの形状が円形又は楕円形状等であってもよく、全ての形状が円形又は楕円形状等であってもよい。
【００５４】
また、上述の第１実施形態及び第２実施形態のペット用排泄物処理具１Ａ，１Ｂにおいては、液不透過性シート材３における吸収部材２から延出する部分に、図１に示すように、係止手段５が設けられているが設けられていなくてもよい。係止手段５が設けられていない場合、家庭にあるビニールテープ、セロハンテープ或いはガムテープ等で固定すればよい。
【００５５】
また、上述の第１実施形態及び第２実施形態のペット用排泄物処理具１Ａ，１Ｂにおいては、図１に示すように、容器６内に配置され、吸収部材２の上面に粒状物７を敷設して、ペット用排泄物処理システム１００として使用されているが、以下のように使用してもよい。具体的には、先ず、容器６内に粒状物７を敷設した後、粒状物７が敷設された容器６内にペット用排泄物処理具１Ａ，１Ｂを配置し、箱４の上面（天壁４３）に施されたミシン目４２に沿って開口させて、縁４１ｅのある窓４１を形成する。次に、吸収部材２の上面で折り畳まれた液不透過性シート材３を解放する。そして、箱４の上面（天壁４３）に形成された窓４１から解放された液不透過性シート材３の部分を引き出して、窓４１の外周縁から液不透過性シート材３を外方に延出させる。次に、このように外方に延出させた液不透過性シート材３の部分で、ペット用排泄物処理具１Ａ，１Ｂを設置した容器６の周壁内面６２を覆う。次に、周壁内面６２が液不透過性シート材３で覆われた開口部６１内にて、現れた吸収部材２を構成する液不透過性シート材３のＺ方向上面上に、粒状物７を更に敷設させて、ペット用排泄物処理システム１００として使用してもよい。この場合、容器６内に敷設する粒状物７としては、上述したものに限らず、例えば、固まる粒状物を収容して使用するタイプのトイレの使用者がペット用排泄物処理具１Ａ，１Ｂを使用する場合には、従来から使用している固まる粒状物を敷設しても良い。
【００５６】
上述した実施形態に関し、さらに以下のペット用排泄物処理具を開示する。
＜１＞
ペットの尿を吸収する吸収体及び該吸収体の上面を覆う液透過性シート材を含む吸収部材と、該吸収部材より大きな面積を有する液不透過性シート材と、該吸収部材及び該液不透過性シート材を収容する紙製の箱とを備える使い捨てペット用排泄物処理具であって、
前記液不透過性シート材の内に前記吸収部材が設置され、使用前においては、該吸収部材を包むように該液不透過性シート材における該吸収部材から延出する部分が該吸収部材の上面で折り畳まれており、
使用前においては、前記液不透過性シート材で包まれた前記吸収部材が、使用時に前記箱の上面に形成される縁のある窓の直下に収容されている使い捨てペット用排泄物処理具。
【００５７】
＜２＞
前記液不透過性シート材で包まれた前記吸収部材は、その平面視した際の面積が、前記箱に形成される前記窓の面積よりも大きい前記＜１＞に記載の使い捨てペット用排泄物処理具。
＜３＞
前記箱の上面に、前記縁のある窓を形成する切り取り線が施されており、使用時に切り取り線に沿って開口させることにより縁のある窓が形成される前記＜１＞又は＜２＞に記載の使い捨てペット用排泄物処理具。
＜４＞
前記吸収体は、植物由来の素材の粉砕物を７０重量％以上含んで、厚みが３ｍｍ以上の板状に成形されており、ペットの尿の吸水後に保形性を有する前記＜１＞〜＜３＞の何れか１に記載の使い捨てペット用排泄物処理具。
＜５＞
前記液透過性シート材は、開孔率１０％以上７０％未満で無加圧状態での厚みが０．１ｍｍ以上のフィルム若しくはプラスチック成形シート、又は坪量２０ｇ／ｍ2以上５０ｇ／ｍ2以下で無加圧状態での厚みが０．３ｍｍ以上の不織布である前記＜１＞〜＜４＞の何れか１に記載の使い捨てペット用排泄物処理具。
＜６＞
前記液不透過性シート材は、前記吸収部材から延出する部分に、係止手段が設けられている前記＜１＞〜＜５＞の何れか１に記載の使い捨てペット用排泄物処理具。
＜７＞
前記箱は、縦ａ、横ｂ、高さｃの関係がａ≧ｂ＞ｃである立方体の形状を有し、該箱の上面に、前記縁のある窓を形成する切り取り線が施されており、
前記窓の面積は、前記箱の上面の面積（ａ×ｂ）の５０％以上９０％以下であり、前記箱に収容された前記液不透過性シート材で包まれた前記吸収部材が該箱の内部において一方に偏っていても、前記一方とは反対側に位置する前記窓の縁に前記吸収部材が掛かるように前記切り取り線が施されている前記＜１＞〜＜６＞の何れか１に記載の使い捨てペット用排泄物処理具。
＜８＞
前記液不透過性シート材は、展開状態に広げた際に平らな形状になるように形成されている前記＜１＞〜＜７＞の何れか１に記載の使い捨てペット用排泄物処理具。
＜９＞
前記液不透過性シート材は、袋状に形成されている前記＜１＞〜＜７＞の何れか１に記載の使い捨てペット用排泄物処理具。
【００５８】
＜１０＞
前記吸収体は、植物由来の素材の粉砕物を８０重量％以上含んで形成されている前記＜１＞〜＜９＞の何れか１に記載の使い捨てペット用排泄物処理具。
＜１１＞
前記吸収体は、粉砕物の密度が０．２ｇ/ｃｍ3以上０．４ｇ/ｃｍ3以下の範囲である前記＜１＞〜＜１０＞の何れか１に記載の使い捨てペット用排泄物処理具。
＜１２＞
前記吸収体は、植物由来の素材の粉砕物に対して２０重量％以下の吸水性樹脂を混合して形成されている前記＜１＞〜＜１１＞の何れか１に記載の使い捨てペット用排泄物処理具。
＜１３＞
前記吸収体は、前記ペット用排泄物処理具の前後方向（Ｙ方向）の長さが２００ｍｍ以上５００ｍｍ以下であり、該ペット用排泄物処理具の前後方向と直交する方向（Ｘ方向）の長さが１５０ｍｍ以上４００ｍｍ以下である前記＜１＞〜＜１２＞の何れか１に記載の使い捨てペット用排泄物処理具。
＜１４＞
前記吸収体の厚み（Ｚ方向の長さ）が、３ｍｍ以上５０ｍｍ以下に形成されていることが好ましく、５ｍｍ以上３０ｍｍ以下に形成されていることが更に好ましく９ｍｍ以上２０ｍｍ以下に形成されていることが特に好ましい前記＜１＞〜＜１３＞の何れか１に記載の使い捨てペット用排泄物処理具。
＜１５＞
前記液透過性シート材は、平面視して、前記吸収体の外周縁（輪郭）よりも外方に延出していているか、該吸収体２１の外周縁（輪郭）に一致して形成されている前記＜１＞〜＜１４＞の何れか１に記載の使い捨てペット用排泄物処理具。
＜１６＞
前記液透過性シート材は、開孔率１０％以上７０％未満で無加圧状態での厚みが０．１ｍｍ以上のフィルム若しくはプラスチック成形シートであることが好ましく、開孔率３０％以上６５％未満で無加圧状態での厚みが０．５ｍｍ以上３．０ｍｍ以下のフィルム若しくはプラスチック成形シートであることが更に好ましいか、又は坪量２０ｇ／ｍ2以上５０ｇ／ｍ2以下で無加圧状態での厚みが０．３ｍｍ以上の不織布であることが好ましく、坪量２５ｇ／ｍ2以上４０ｇ／ｍ2以下で無加圧状態での厚みが０．５ｍｍ以上５．０ｍｍ以下の不織布であることが更に好ましい前記＜１＞〜＜１５＞の何れか１に記載の使い捨てペット用排泄物処理具。
＜１７＞
前記液不透過性シート材は、厚みが０．０２０ｍｍ以上０．１００ｍｍ以下の範囲であることが好ましく、０．０３０ｍｍ以上０．０７０ｍｍ以下の範囲であることが更に好ましい前記＜１＞〜＜１６＞の何れか１に記載の使い捨てペット用排泄物処理具。
＜１８＞
前記切り取り線がミシン目である前記＜１＞〜＜１７＞の何れか１に記載の使い捨てペット用排泄物処理具。
＜１９＞
前記窓の面積は、前記箱の上面（天壁）の面積（ａ×ｂ）の５０％以上９０％以下であることが好ましく、６０％以上８５％以下であることが好ましい前記＜１＞〜＜１８＞の何れか１に記載の使い捨てペット用排泄物処理具。
＜２０＞
前記箱に収容された前記液不透過性シート材で包まれた前記吸収部材が、該箱の内部で偏っていても前記窓の縁に５ｍｍ以上掛かるように切り取り線（ミシン目）が施されていることが好ましく、１０ｍｍ以上掛かるように切り取り線（ミシン目）が施されていることが更に好ましい前記＜１＞〜＜１９＞の何れか１に記載の使い捨てペット用排泄物処理具。
＜２１＞
前記窓の面積は、前記液不透過性シート材で包まれた前記吸収部材における前記吸収体の平面視した際の面積の５０％以上８５％以下であることが好ましく、６０％以上８０％以下であることが好ましい前記＜１＞〜＜２０＞の何れか１に記載の使い捨てペット用排泄物処理具。
＜２２＞
前記液不透過性シート材が、底から開口部に向かって開口面積が広がる形状からなるロート状の袋状に形成されている前記＜１＞〜＜２１＞の何れか１に記載の使い捨てペット用排泄物処理具。
【００５９】
＜２３＞
前記＜１＞〜＜２２＞の何れか１に記載の使い捨てペット用排泄物処理具と、該使い捨てペット用排泄物処理具上に配置する便床を形成する粒状物とを具備するペット用排泄物処理システムであって、
前記使い捨てペット用排泄物処理具が上方に開口する開口部を有する容器内に配置され、使用時に前記箱の上面に形成された前記窓の外周縁から、前記吸収部材の上面で折り畳まれた前記液不透過性シート材が解放されて外方に延出しており、該延出した液不透過性シート材により、前記容器の周壁内面が覆われており、前記吸収部材の上面に前記粒状物が敷設されているペット用排泄物処理システム。
＜２４＞
前記粒状物は、植物由来の素材の粉砕物６０重量％以上９７重量％以下及び合成樹脂を３重量％以上４０重量％以下含んで、所定の形状に成形されており、ペットの尿の吸水後に保形性を有する前記＜２３＞に記載のペット用排泄物処理システム。
＜２５＞
前記粒状物は、植物由来の素材の粉砕物を６０重量％以上９７重量％以下含んで構成されていることが好ましく、該粉砕物を７０重量％以上９５重量％以下含んで構成されていることが更に好ましく、合成樹脂を３重量％以上４０重量％以下含んで構成されていることが好ましく、合成樹脂を５重量％以上３０重量％以下含んで構成されていることが更に好ましく、尿の吸収後に保形性を有する前記＜２３＞又は＜２４＞に記載のペット用排泄物処理システム。
＜２６＞
前記粒状物は、吸水率が１％以上１０％以下であることが好ましく、３％以上８％以下であることが更に好ましい前記＜２３＞〜＜２５＞の何れか１に記載のペット用排泄物処理システム。
＜２７＞
前記＜１＞〜＜２２＞の何れか１に記載の使い捨てペット用排泄物処理具の製造方法であって、
前記吸収体の上面を液透過性シート材で覆って形成された前記吸収部材を、平面視して該吸収部材より大きな面積を有する液不透過性シート材の上面中央部に設置する工程と、
前記液不透過性シート材における前記吸収部材から延出する部分の内、前後方向（Ｙ方向）に沿う一方の側部を、該吸収部材を包むように巻き上げ、該吸収部材のＹ方向に延びる一方の側縁に沿って折り返す工程と、
前記液不透過性シート材における前記吸収部材から延出する部分の内、前後方向（Ｙ方向）に沿う他方の側部を、該吸収部材を包むように巻き上げ、該吸収部材の前後方向（Ｙ方向）に延びる他方の側縁に沿って折り返す工程と、
前記液不透過性シート材における前記吸収部材から延出する部分の内、前後方向（Ｙ方向）の一方の端部を、該吸収部材を包むように巻き上げ、該吸収部材の前後方向（Ｙ方向）の一方の端縁に沿って折り返す工程と、
前記液不透過性シート材における前記吸収部材から延出する部分の内、残りの前後方向（Ｙ方向）の他方の端部を、該吸収部材を包むように巻き上げ、該吸収部材の前後方向（Ｙ方向）の他方の端縁に沿って折り返す工程とを具備する、使い捨てペット用排泄物処理具の製造方法。
＜２８＞
前記＜１＞〜＜２２＞の何れか１に記載の使い捨てペット用排泄物処理具に用いる袋状の液不透過性シート材の製造方法であって、
平面視して前記吸収部材より大きな面積を有する２枚の液不透過性シート材の内、厚み方向（Ｚ方向）上方側の液不透過シート材に一対角線に沿って切り取り線（ミシン目）を施し、次いで、これら２枚の該液不透過シート材を重ね合わせ全周縁に亘って融着によるシールを施し、そして、該切り取り線（ミシン目）に沿って切り離すことで袋状の液不透過性シート材を形成する工程、
チューブ形状の液不透過シート材を前後方向（Ｙ方向）の前後端部の開口部に沿って融着によるシールを施し、厚み方向（Ｚ方向）上方側の液不透過シート材にのみ一対角線に沿って切り取り線（ミシン目）を施し、その後、該切り取り線（ミシン目）に沿って切り離すことで袋状の液不透過性シート材を形成する工程、及び
Ｘ方向に長い長方形状の１枚の液不透過性シート材を前後方向（Ｙ方向）に延びる二等分線に沿って折り返し、コの字状に外周縁に沿って融着によるシールを施し、厚み方向（Ｚ方向）上方側の液不透過シート材にのみ一対角線に沿って切り取り線（ミシン目）を施し、その後、該切り取り線（ミシン目）に沿って切り離すことで袋状の液不透過性シート材を形成する工程の何れか１の工程を具備する、袋状の液不透過性シート材の製造方法。
＜２９＞
前記＜１＞〜＜２２＞に記載の使い捨てペット用排泄物処理具の使用方法であって、
前記ペット用排泄物処理具を、上方に開口する開口部を有する容器内に配置した後、或いは該容器内に配置する前に、前記箱の上面（天壁）に施された切り取り線（ミシン目）に沿って開口させて、縁のある窓を形成する工程、
前記吸収部材の上面で折り畳まれた前記液不透過性シート材を解放する工程、
前記箱の上面（天壁）に形成された前記窓から解放された前記液不透過性シート材の部分を引き出して、該窓の外周縁から該液不透過性シート材を外方に延出させる工程、
外方に延出させた前記液不透過性シート材の部分で、前記ペット用排泄物処理具を設置した前記容器の周壁内面を覆う工程、及び
前記容器の周壁内面が前記液不透過性シート材で覆われた前記容器の前記開口部内にて、現れた前記吸収部材を構成する該液不透過性シート材の厚み方向（Ｚ方向）上面上に、粒状物を敷設させる工程、
を有するペット用排泄物処理システムの使用方法。
【符号の説明】
【００６０】
１Ａ，１Ｂ  ペット用排泄物処理具
２  吸収部材
２１  吸収体
２１Ｕ  吸収体の上面
２２  液透過性シート材
３  液不透過性シート材
３１  ミシン目
４  箱
４１  窓
４１ｅ  縁
４２  ミシン目
４３  天壁
４４  底壁
４５  周壁
４５ｅ  Ｙ方向の両端の前後周壁
４５ｓ  Ｙ方向に沿う両側（Ｘ方向の両端）の側方周壁
５  係止手段
６  容器
６１  開口部
６２  周壁内面
７  粒状物
１００  ペット用排泄物処理システム
【図１】
2015029494.tif 000003
【図２】
2015029494.tif 000004
【図３】
2015029494.tif 000005
【図４】
2015029494.tif 000006
【図５】
2015029494.tif 000007
【図６】
2015029494.tif 000008
【図７】
2015029494.tif 000009
【図８】
2015029494.tif 000010
【図９】
2015029494.tif 000011
【図１０】
2015029494.tif 000012